(57)【要約】【課題】  棚を所要の壁面に簡単にかつ強固に取り付けることができるサポートカウンタを提供すること。【解決手段】  壁面１に対して固定されるベース部材２に、棚部材３を着脱可能に取り付けるための溝部４を当該ベース部材２の長手方向に沿って連続形成する。棚部材３は、被載置物を載置するための載置部２０と、溝部４に係合される取付部２１と、載置部２０の下面から突出して、それによって取付部２１を溝部４に係合したときにベース部材２に当接する支持部２２とから構成する。ベース部材２の溝部４に、取付部２１の上脚２５を回り対偶で案内する上溝１０と、取付部２１の下脚２６を挟み込んで係合する下溝１１とを形成する。溝部４の上下方向に沿う長さ寸法を、取付部２１の上下方向に沿う長さ寸法よりも大に設定する。【選択図】  図１
2005245948.tif 000002
【特許請求の範囲】
【請求項１】
壁面に対して固定されるベース部材と、このベース部材に対して着脱自在に取り付けられる棚部材とを備え、
上記ベース部材には、上記棚部材を取り付けるための溝部が当該ベース部材の長手方向に沿って連続して形成され、
上記記棚部材は、被載置物を載置するための載置部と、前記溝部に係合される取付部と、載置部の下面から突出しており、それによって取付部を上記溝部に係合したときに上記ベース部材に当接する支持部とを含んでいることを特徴とするサポートカウンタ。
【請求項２】
上記棚部材の取付部には、上脚と下脚とが形成され、
上記ベース部材の溝部には、上記上脚を回り対偶で案内する上溝と、上記下脚を挟み込んで係合する下溝とが形成され、
上記溝部の上下方向に沿う長さ寸法は、上記取付部の上下方向に沿う長さ寸法よりも大に設定されていることを特徴とする請求項１記載のサポートカウンタ。
【請求項３】
上記溝部の上溝と下溝との間には、上記ベース部材を壁面に固定するためのねじを上記溝部内に突出しないように収納する凹溝が当該溝部の長手方向に沿って形成されていることを特徴とする請求項２記載のサポートカウンタ。
【請求項４】
上記載置部の取付部に対する手前側縁部および両側縁部には、被載置物の当該載置部からの落下を防止するための手段が設けられていることを特徴とする請求項１ないし３のいずれかに記載のサポートカウンタ。
【請求項５】
上記溝部の長手方向に沿う長さ寸法は、上記棚部材をスライド自在に案内できるように当該棚部材の長手方向に沿う長さ寸法よりも大に設定されていることを特徴とする請求項１ないし４のいずれかに記載のサポートカウンタ。
【請求項６】
上記載置部には、多数の微細な水切り孔が当該載置部の長手方向およびこの長手方向と交差する方向に沿って整列した状態で形成されていることを特徴とする請求項１ないし５のいずれかに記載のサポートカウンタ。
【請求項７】
上記載置部には、被載置物の形状に合わせた所定数のホルダが所要の状態で形成されていることを特徴とする請求項１ないし５のいずれかに記載のサポートカウンタ。
【請求項８】
上記載置部には、被載置物の滑りを防止するための多数の微細な凹凸が当該載置部の長手方向およびこの長手方向と交差する方向に沿って整列した状態で形成されていることを特徴とする請求項１ないし５のいずれかに記載のサポートカウンタ。
【発明の詳細な説明】
【技術分野】
【０００１】
本発明は、使用者のニーズあるいは被載置物の種類や用途等に応じて所要の壁面に取り付けられるサポートカウンタに関する。
【背景技術】
【０００２】
周知のように、例えば、台所の流し台を含む作業領域の上方の壁面や浴室の壁面には、その各使用者の体格的な違いから生じるニーズあるいは被載置物の種類や用途に応じて、いわゆるサポートカウンタを後付けで取り付けることが盛んに行われている。
【０００３】
かかるサポートカウンタの固定構造の典型的な例としては、特許文献１、特許文献２および特許文献３にて提案されているものを挙げることができる。
【０００４】
特許文献１では、ブラケットを壁面に固定し、上縁の係止部に収納棚の係止片を差し込むとともに、収納棚の下部の凹状部をブラケットの凸状部に嵌合して、収納棚を固定する旨が開示されている。
【０００５】
特許文献２では、壁材の目地部に、目地材によって凹所を形成し、凹所に後付部材の挿入部を差し込んで、後付部材を取り付ける旨が開示されている。
【０００６】
特許文献３では、棚を支持するために、壁面に固定されたレールの長孔に、支持部材の上下の係合片を回転させながら挿入して、支持部材を取り付ける旨が開示されている。
【０００７】
【特許文献１】特開平１１−２６２４２０号公報（段落００１８）
【０００８】
【特許文献２】特開２０００−１０４３５７号公報（段落００１２および００１６）
【特許文献３】実開平５−８０９７９号公報（段落０００８）
【発明の開示】
【発明が解決しようとする課題】
【０００９】
上記特許文献１、特許文献２および特許文献に係る技術では、棚の取り付けに関して以下の問題点が指摘されている。
【００１０】
具体的に、特許文献１では、棚を壁面に沿って差し込まなければならず、その結果、壁面に対して棚が取り付け難くなっている。特許文献２では、後付部材と目地材とが線接触となっており、過大な加重や偏荷重に対しては強度的な問題が生じる虞がある。特許文献３では、複数の長孔に係合片を同時に挿入しなければならず、取り付けが面倒であり、しかも支持部材は長孔の縁に引っ掛かって支持されているので、特許文献２と同様に、加重がかかるとやはり強度的に問題が生じてしまう。
【００１１】
他方、上記特許文献１、特許文献２および特許文献３に係る技術には、棚を取り付けると、決められた位置でしか使用することができないとの指摘もある。すなわち、特許文献１ではブラケットの凸状部の位置、特許文献２で目地部の位置、特許文献３では長孔の位置に規定されてしまう。このように取付位置が固定されると、必要ないときに棚が邪魔になり、使い勝手が悪くなることがある。これを防ぐには、最初に取付位置を厳密に検討しなければならず、その作業は面倒かつ煩雑である。
【００１２】
本発明の第１の目的は、簡単にかつ強固に棚を取り付けることができることが可能なサポートカウンタを提供することにある。
【００１３】
本発明の第２の目的は、棚の位置を自由に変更できるようにして、使い勝手をよくしたサポートカウンタを提供することにある。
【課題を解決するための手段】
【００１４】
本発明に係るサポートカウンタは、壁面に対して固定されるベース部材と、このベース部材に対して着脱自在に取り付けられる棚部材とを備え、上記ベース部材には、上記棚部材を取り付けるための溝部が当該ベース部材の長手方向に沿って連続して形成され、上記記棚部材は、被載置物を載置するための載置部と、前記溝部に係合される取付部と、載置部の下面から突出しており、それによって取付部を上記溝部に係合したときに上記ベース部材に当接する支持部とを含んでいる。
【００１５】
また、上記棚部材の取付部には、上脚と下脚とが形成され、上記ベース部材の溝部には、上記上脚を回り対偶で案内する上溝と、上記下脚を挟み込んで係合する下溝とが形成され、上記溝部の上下方向に沿の長さ寸法は、上記取付部材の上下方向に沿う長さ寸法よりも大に設定されている。
【００１６】
さらに、上記溝部の上溝と下溝との間には、上記ベース部材を壁面に固定するためのねじを上記溝部内に突出しないように収納する凹溝が当該溝部の長手方向に沿って形成されている。
【００１７】
さらにまた、上記載置部の取付部に対する手前側縁部および両側縁部には、被載置物の当該載置部からの落下を防止するための手段が設けられている。
【００１８】
加えて、上記溝部の長手方向に沿う長さ寸法は、上記棚部材をスライド自在に案内できるように当該棚部材の長手方向に沿う長さ寸法よりも大に設定されている。
【００１９】
ところで、上記棚部材は、その用途に応じて載置部の構成が異なるのが好ましい。具体的には、食器や石鹸のような濡れた被載置物を置く場合、上記載置部には、多数の微細な水切り孔が当該載置部の長手方向およびこの長手方向と交差する方向に沿って整列した状態で形成される。カップ等の特殊な形状の被載置物を置く場合、上記載置部には、被載置物の形状に合わせた所定数のホルダが所要の状態で形成される。滑り易い素材で製作された被載置物の容器を置く場合、上記載置部には、被載置物の滑りを防止するための多数の微細な凹凸が当該載置部の長手方向およびこの長手方向と交差する方向に沿って整列した状態で形成される。このように、棚部材の用途に応じた載置部を揃えることにより、使い勝手がよくなる。
【００２０】
なお、上記ベース部材および棚部材の各両側面をカバー部材で覆うことが好ましい。この場合、カバー部材でベース部材および棚部材の各両側面が塞がれ、それによって見栄えがよくなる。特に、棚部材のカバー部材は、被載置物の載置部の両側からの脱落を防止するための手段としても機能する。
【発明の効果】
【００２１】
（１）棚部材の取付部をベース部材の溝部に嵌めるだけで、当該棚部材を壁面に対して取り付けることができる。その結果、棚部材の着脱は容易となる。また、棚部材をベース部材に嵌め込んだ状態では、棚部材の支持部の自由端面が常時ベース部材に当接して面接触となり、その結果、過大な加重や偏加重に対する強度的な問題が発生することはない。加えて、支持部は、棚部材の振動を抑制するので、従来のもの比して被載置物の載置部上での安定性が向上する。
【００２２】
（２）棚部材をベース部材に取り付けるときに、上脚を溝部の上溝に嵌めて回すと、棚部材の取付部が溝部内に入り込む。その後、棚部材が自重によって下がると、下脚が下溝に嵌まり込む。上脚が上溝に、下脚が下溝にそれぞれ係合される。このようにして、簡単にかつ強固に棚部材をベース部材に取り付けることができる。
【００２３】
（３）ベース部材は、溝部の奥側に形成された凹溝からねじ込まれた固定ねじによって壁面に固定される。このねじは棚部材によって隠されるので、外側から見えない。
【００２４】
（４）上記載置部の取付部に対する手前側縁部および両側縁部に被載置物の載置部からの落下を防止する手段が設けられているので、下方向あるいは左右方向から外力がかかったことに起因する被載置物の落下を十分に抑制し得る。
【００２５】
（５）棚部材はベース部材に対して長手方向にスライドする。そのため、棚部材が不要な場合には、邪魔にならない位置に移動させるといった使い方ができる。このように、使用目的に応じて棚部材の位置を自由に設定できる。
【発明を実施するための最良の形態】
【００２６】
以下、本発明の実施の形態を添付図面に基づき詳細に説明する。
【００２７】
＜実施の形態１＞
図１（Ａ）および図１（Ｂ）を参照して、本実施の形態１に係るサポートカウンタは、例えば、台所の流し台を含む作業領域の上方の壁面１あるいは浴室の壁面１等に後付けされるものであって、当該壁面１に固定されるベース部材２を備えている。このベース部材２には、目的あるいは使用用途に応じて種々の棚部材３Ａ，３Ｂ．３Ｃ，３Ｄ，３Ｅのうちから所望の棚部材が選択されて着脱自在に取り付けられる。なお、以下の説明において、棚部材３Ａ〜３Ｅを総称するときは「棚部材３」と称する。
【００２８】
図２および図３を参照して、ベース部材２は、前後方向に厚みがあり、かつ、長手方向に長い箱刑形状とされた、アルミニウム等の軽金属の押出成形品である。このベース部材２の上部には、棚部材３を取り付けるための溝部４が当該ベース部材２の長手方向に沿い、かつ、その全長にわたって連続して形成されている。ベース部材２の前面は、平坦な面とされ、その上部に溝部４が開口している。上記前面の下側のコーナ部分は曲面に形成されている。他方、ベース部材２の後面も平坦な面とされ、その下部の一部が開口される。これに伴って、ベース部材２の下部は、中空状とされ、それによってベース部材２全体の軽量化が図られている。
【００２９】
図２を参照して、溝部４は、前側の開口に対して後側が広くされており、上部の上溝１０および下部の下溝１１を有している。上溝１０の前壁１０ａは、平坦に形成されており、他方その後壁１０ｂは、前壁１０ａに向かう円弧面に形成されている。下溝１１の前壁１１ａは、平坦な面に形成されており、他方後壁１１ｂは、小半径の円弧面に形成されている。加えて、上記前壁１１ａおよび後壁１１ｂをつなぐ底壁１１ｃは、平坦とされている。上溝１０の上下方向に沿う深さ寸法は、下溝１１の上下方向に沿う深さ寸法よりも大に設定されている。
【００３０】
上溝１０と下溝１１との間の溝部４の後面には、後側に向かって凹溝１２が長手方向に沿って連続して形成されている。この凹溝１２は、ベース部材２を壁面１に固定するためのねじ１３を収納するためのものである。凹溝１２の前後方向に沿う深さ寸法は、ねじ１２の頭部が溝部４内に突出しない深さ寸法に設定されている。ベース部材２の後面が壁面１に面接触され、凹溝１２内に一定間隔で上記のねじ１３がねじ込まれることにより、ベース部材２の壁面１への固定が達成される。
【００３１】
ベース部材２の長手方向の両端は、それぞれ、開放されており、各側面にカバー部材１４が取り付けられる。カバー部材１４は、ベース部材２の中空部分に嵌め込まれ、さらに凹溝１２にも差し込まれ、固定用のねじ１３によってベース部材２に共締めされる。これによって、ごみ等がベース部材２の中空部分に侵入するのを防止できるとともに、美観もよくなる。
【００３２】
図４を参照して、棚部材３は、被載置物を載置するための載置部２０と、溝部４に係合される取付部２１と、載置部２０の下面から突出した支持部２２とを備えており、これら各部２１，２２，２３が長手方向に沿って連続して一体的に形成された、アルミニウム等の軽金属の押出成形品である。棚部材３の長手方向に沿う長さ寸法は、図１（Ａ）に示すように、ベース部材２の長手方向に沿う長さ寸法とほぼ同寸に設定されている。
【００３３】
載置部２０は、図１（Ａ）に示すように、長方形の平板とさている。この載置部２０の前側は、コ字状に下方に向かって折り曲げられており、この前縁の上面には、滑らかに盛り上がる隆起２３が形成されている。この隆起２３は、載置部２０の長手方向に沿い、かつ、その全長にわたって連続して形成されており、それによって載置部２０に置かれた被載置物が載置部２０の前側から落下するのを防止する機能を果たす。
【００３４】
図４および図５を参照して、取付部２１は、載置部２０の後端側において当該載置部２０の長手方向に沿い、かつ、その全長にわたって連続して形成されており、上溝１０に係合するための上脚２５と下溝１１に係合するための下脚２６とを有している。上脚２５は、載置部２０から上方に向かって突設されている。この上脚２５の前面２５ａは、平坦に形成されており、他方その後面２５ｂは、円弧面に形成されている。すなわち、上記上脚２５の外面形状は、図１（Ａ）に示すように、上溝１０の内面形状に相似しており、上脚２５と上溝１０とは互いに接触しながら回動可能とされていることによって、いわゆる回り対偶をなす。下脚２６の前面２６ａ、後面２６ｂおよび底面２６ｃも、下溝１１と相似形状とされている。
【００３５】
上記ベース部材２の溝部４の上下方向に沿う長さ寸法は、取付部２１の上下方向に沿う長さ寸法よりも大に設定されている。すなわち、上記の上溝１０の上端から下溝１１の底壁１１ｃまでの長さ寸法が、上記の上脚２５の上端から下脚２６の下端までの長さ寸法よりも大に設定されているのである。ただし、上脚２５の上下方向に沿う長さ寸法は、上溝１０の深さ寸法よりも大に設定されており、他方下脚２６の上下方向に沿う長さ寸法は、下溝１１の深さ寸法よりも大に設定されている。
【００３６】
再び図４および図５を参照して、支持部２２は、当該載置部２０の長手方向に沿い、かつ、その全長にわたって連続して設けられており、載置部２０の下面からその後側に向かって斜め下方に向かって突出している。この支持部２２の突出寸法は、取付部２１が溝部４に係合した状態において、当該支持部２２の自由端面が上記ベース部材２の前面に当接するように設定されている。なお、支持部２２は、２またはそれ以上に分割して設けられていても構わない。
【００３７】
棚部材３の長手方向の両側面には、図１（Ｂ）に示すように、当該両側面を覆うカバー部材２７が取り付けられる。カバー部材２７の各々は、載置部２０の前側の隙間および載置部２０と支持部２２との隙間に嵌め込まれ、ねじ止めされる。これらカバー部材２７によって、載置部２０の両端に段差が生じ、それによって被載置物が載置部２０の両側から滑り落ちるのを防止できるとともに、美観的にもよくなる。
【００３８】
図６および図７を参照して、上記壁面１に固定されたベース部材２に棚部材３を取り付ける手順を説明する。
【００３９】
図６に示すように、棚部材３を斜めにして、その取付部２１の上脚２５をベース部材２の溝部４に挿入する。その後、上脚２５を溝部４の上溝１０に当接させ、棚部材３を引き下げると、当該上脚２５が当該上溝１０に沿って回動し、棚部材３の下脚２６が溝部４内に入る。
図７に示すように、上脚２５の前面２５ａが上溝１０の前壁１０ａに当接すると、棚部材３の回動が規制される。そうすると、支持部２２がベース部材２の前面に当接し、載置部２０が水平となる。この上脚２５が上溝１０に嵌まり込んでいる状態において、棚下脚２６の下端は、溝部４の下溝１１よりも上方に位置する。
【００４０】
上記の状態から棚部材３は自重によって下がる。そうすると、図１（Ａ）に示すように、上記の下脚２６が上記の下溝１１に嵌まり込んで係合される。この状態において、上記の上脚２５の上端は、上記の上溝１０の下部付近に位置して、当該上脚２５は、当該上溝１０に前後から挟み込まれて係合される。このとき、支持部２２の自由端面がベース部材２の前面に面接触する。
【００４１】
上記一連の手順に従って壁面１に対して取り付けられた棚部材３の載置部２０上には、被載置物が置かれることとなる。このとき、重い被載置物を置いたりして、棚部材３に過大な加重や偏加重がかかっても、取付部２１の上下および支持部２２によって、棚部材３はベース部材２に強固に支持されるので、棚部材３が傾いたり、外れたりすることはない。しかも、棚部材３に衝撃が加わり、振動しても、支持部２２がその振動を抑制する。したがって、被載置物の載置部２０上での安定性が増し、被載置物が倒れたり、滑ったりすることを防げる。
【００４２】
ところで、上記の棚部材３の載置面は、図１（Ｂ）に示すように、平坦面であってもよいが、その使用用途に応じて当該載置面の構成を変更する方が好ましい。
【００４３】
食器のように水に濡れた被載置物を載せる場合には、図８に示す第１の棚部材３Ａが用いられる。この棚部材３Ａの載置部２０の載置面には、多数の微細な水切り孔３０が形成されている。多数の水切り孔３０は、載置部２０の長手方向およびこの長手方向と直交する方向に沿って一定間隔を開けた状態で整列している。上記の濡れた被載置物を第１の棚部材３Ａ載置面上に置くと、水切り孔３０から水が滴り落ちる。
【００４４】
図９および図１０を参照して、第２の棚部材３Ｂは、上記第１の棚部材３Ａと同様に水切り孔３０を有する棚部材であるが、第１の棚部材３Ａと異なるのは、被載置物の落下防止のための枠体３１が載置部２０の載置面に設けられている点にある。この枠体３１は、当該載置部２０の前側および両側を取り囲むように線材を折り曲げて形成されている。枠体３１の脚３２は、図１０に示すように、載置部２０に載せられ、下側から水切り孔３０を通じてねじ止めされている。なお、枠体３１の脚３２を水切り孔３０よりも小径にすれば、脚３２を水切り孔３０に差し込んで枠体３１を取り付けることができる。上記の枠体３１を設けることにより、第２の棚部材３Ｂは、上記の水切り機能とともに、載置部２０の載置面上での被載置物の転倒や落下を防止できる。特に、第２の棚部材３Ｂは、背の高い被載置物を置く場合に好適である。
【００４５】
図１１を参照して、第３の棚部材３Ｃは、その載置面上で被載置物が滑って落下するのを防止するための手段として、多数の微細な凹凸３３が形成されている。多数の凹凸３３は、載置部２０の載置面の長手方向およびこの長手方向と直交方向に沿って一定間隔を開けた状態で整列して並んでいる。多数の凹凸３３があることにより、被載置物が載置部２０の載置面上で滑るのを防止できる。これによって、棚部材３に振動が加わっても、被載置物は滑らず、被載置物の落下防止を図れる。
【００４６】
図１２および１３を参照して、第４の棚部材３Ｄは、カップ３４を置けるように複数のホルダ孔３５が載置部２０の載置面に設けられている。これら各ホルダ孔３５は、カップ３４が嵌まり込む程度の大きさの孔とされており、載置部２０の載置面の長手方向に沿って一定間隔を開けた状態で並ぶように形成されている。図１３に示すように、カップ３４をホルダ３５に嵌めると、カップ３４のつばが載置部２０の載置面に引っ掛かって保持される。このように、第３の棚部材３Ｄでは、カップ３４が落ちないように棚部材３に確実に載置することができる。
【００４７】
図１４および図１５を参照して、第５の棚部材３Ｅは、カップ３４を逆さまにして置けるように複数の凸状のホルダ３６が載置部２０の載置面に設けられている。これら各凸状ホルダ凸部３６は、被載置物の形状に合わせた大きさおよび形状にほぼ合致する形状を有しており、載置部２０の載置面の長手方向に沿って一定間隔を開けた状態で形成されている。図１５に示すように、カップ３４を逆さまにして凸状ホルダ３６に被せると、カップ３４の載置部２０の載置面上での移動を防止できるとともに、カップ３４内にごみやほこりが入らず衛生的である。
【００４８】
＜実施の形態２＞
図１６を参照して、本実施の形態２に係るサポートカウンタの特徴は、棚部材２の取付部２１が係合される、固定部材２の溝部４の長手方向に沿う長さ寸法を、棚部材３を当該溝部４の延びる方向に沿ってスライド自在に案内できるように当該棚部材２の長手方向に沿う長さ寸法よりも大に設定されている点にあり、その他の構成は実施の形態１と同様である。
【００４９】
上記構成によれば、ベース部材２の許容範囲内において、棚部材３の位置を任意に設定できる。したがって、使いやすい位置に棚部材３を配置することができ、使い勝手がよくなる。また、棚部材３が不要なときでも、棚部材３を取り外す必要はなく、邪魔にならない位置に移動すればよい。
【００５０】
なお、本発明は上記実施の形態１および実施の形態２に限定されるものではない。例えば、棚部材３の載置部２０の長手方向に沿った両端縁に、被載置物の両端からの落下を防止するための隆起を形成してもよい。また、歯ブラシや歯磨き等の特殊な形状を有する被載置物の形状に合わせた凹みを形成し、この凹みをホルダとして機能させてもよい。さらに、上記第１の棚部材３Ａ〜第５の棚部材３Ｅの特徴的な要素を選択的に複合させて、棚部材３としてもよい。その他、本明細書に添付した特許請求の範囲内での種々の設計変更および修正を加え得ることを勿論である。
【産業上の利用可能性】
【００５１】
本発明は、簡単にかつ強固に棚を取り付けることができ、しかも棚の位置を自由に変更できるようにして、使い勝手をよくできるゆえ、使用者のニーズあるいは被載置物の種類や用途等に応じて所要の壁面に取り付けられるサポートカウンタとして有用である。
【図面の簡単な説明】
【００５２】
【図１】本発明の実施の形態１に係るサポートカウンタの構成を示しており、同図（Ａ）は側面図、同図（Ｂ）は平面図
【図２】ベース部材の断面図
【図３】ベース部材の正面図
【図４】棚部材の断面図
【図５】図４の矢印Ａ方向から視た図
【図６】棚部材をベース部材に挿入した状態を示す図
【図７】棚部材をベース部材に係合する前の状態を示す図
【図８】第１の棚部材の平面図
【図９】第２の棚部材の平面図
【図１０】第２の棚部材の側面図
【図１１】第３の棚部材の断面図
【図１２】第４の棚部材の平面図
【図１３】第４の棚部材に被載置物を載置した状態を示す図
【図１４】第５の棚部材の平面図
【図１５】第５の棚部材に被載置物を載置した状態を示す図
【図１６】本発明の実施の形態２に係るサポートカウンタの平面図
【符号の説明】
【００５３】
１  壁面
２  ベース部材
３（３Ａ，３Ｂ，３Ｃ，３Ｄ，３Ｅ）  棚部材
４  溝部
１０  上溝
１１  下溝
１２  凹溝
１４  カバー部材
２０  載置部
２１  取付部
２２  支持部
２５  上脚
２６  下脚
２７  カバー部材
３０  水切り孔
３１  枠体
３３  凹凸
３５  ホルダ孔
３６  凸状ホルダ
【図１】
2005245948.tif 000003
【図２】
2005245948.tif 000004
【図３】
2005245948.tif 000005
【図４】
2005245948.tif 000006
【図５】
2005245948.tif 000007
【図６】
2005245948.tif 000008
【図７】
2005245948.tif 000009
【図８】
2005245948.tif 000010
【図９】
2005245948.tif 000011
【図１０】
2005245948.tif 000012
【図１１】
2005245948.tif 000013
【図１２】
2005245948.tif 000014
【図１３】
2005245948.tif 000015
【図１４】
2005245948.tif 000016
【図１５】
2005245948.tif 000017
【図１６】
2005245948.tif 000018